(57)【要約】【課題】オンラインショッピングサイトに掲示する商品価格の設定ミスを防止する情報入力装置およびプログラムを提供する。【解決手段】商品テーブル３１は、商品の販売価格として設定できる価格範囲を、商品コードに対応付けて記憶している。表示制御部１２は、商品の販売価格の入力を受付ける商品情報編集画面４２を液晶ディスプレイ４０に表示する。入力受付部１３は、商品情報編集画面４２から商品の販売価格の入力を受付ける。価格判定部１４は、商品テーブル３１を参照して、入力された販売価格が商品の価格範囲内であるか否か判定する。価格範囲内である場合には、情報登録部１５が入力された販売価格を商品テーブルに格納する。価格範囲外である場合には、エラー表示部１６が、入力された販売価格は価格範囲外である旨を報知するので、操作者は誤入力に気付いて修正することができる。【選択図】図４
2011170462.tif 000002
【特許請求の範囲】
【請求項１】
商品の販売価格と、前記販売価格として設定できる価格範囲とを、前記商品の識別情報に対応付けて記憶する記憶手段と、
前記販売価格の入力を受付ける受付画面を表示器に表示する表示制御手段と、
前記受付画面から前記販売価格の入力を受付ける入力受付手段と、
前記入力受付手段が受付けた前記販売価格が、前記価格範囲内であるか否か判定する判定手段と、
前記判定手段が前記販売価格は前記価格範囲外であると判定した場合には、前記販売価格が前記価格範囲外である旨を報知する報知手段と、
を備えたことを特徴とする情報入力装置。
【請求項２】
前記判定手段は、前記受付画面において前記入力受付手段が受付けた前記販売価格および前記商品の数量から前記商品の単価を算出し、算出した前記単価が前記価格範囲内であるか否かを判定すること、
を特徴とする請求項１に記載の情報入力装置。
【請求項３】
前記判定手段が前記販売価格は前記価格範囲内であると判定した場合には、前記販売価格を前記記憶手段に格納する情報登録手段をさらに備えること、
を特徴とする請求項１または２に記載の情報入力装置。
【請求項４】
前記受付画面において前記入力受付手段が受付けた前記販売価格が前記価格範囲外であっても、前記記憶手段に記憶することを許可するパスコードの入力を受付けるパスコード入力手段をさらに備え、
前記情報登録手段は、前記判定手段が前記販売価格は前記価格範囲外であると判定した場合であっても、前記パスコード入力手段によって前記パスコードの入力を受付けた場合には、前記販売価格を前記記憶手段に格納すること、
を特徴とする請求項１ないし３のいずれか１つに記載の情報入力装置。
【請求項５】
前記判定手段は、前記受付画面において前記入力受付手段が受付けた前記販売価格が、前記商品の最低価格以上で通常価格以下であるか否か判定し、
前記報知手段は、前記判定手段が前記販売価格は前記最低価格以上で前記通常価格以下であると判定した場合には、前記販売価格は前記通常価格以下である旨を報知すること、
を特徴とする請求項１ないし４のいずれか１つに記載の情報入力装置。
【請求項６】
商品の販売価格と、前記販売価格として設定できる価格範囲とを、前記商品の識別情報に対応付けて記憶する記憶手段を備えた情報入力装置において、
コンピュータを、
前記販売価格の入力を受付ける受付画面を表示器に表示する表示制御手段と、
前記受付画面から前記販売価格の入力を受付ける入力受付手段と、
前記入力受付手段が受付けた前記販売価格が、前記価格範囲内であるか否か判定する判定手段と、
前記判定手段が前記販売価格は前記価格範囲外であると判定した場合には、前記販売価格が前記価格範囲外である旨を報知する報知手段と、
して機能させるためのプログラム。
【発明の詳細な説明】
【技術分野】
【０００１】
本発明は、情報入力装置およびプログラムに関する。
【背景技術】
【０００２】
従来、インターネット上に開設したWebサイトで商品販売を行う電子商取引が広く行われている。オンラインショッピングでは、Webサーバやデータベースサーバ等が、販売商品の商品コードや商品名、販売価格を設定した商品マスタを管理している（例えば、特許文献１参照）。そして、Webサーバが商品マスタを参照して販売サイトにこれらの商品情報を掲示し、客は掲示された商品情報を見て商品の発注を行う。
【０００３】
ところで、近年ではオンラインショッピングが広く普及し、取り扱われる商品数も増加している。これに伴い、商品マスタに登録する商品情報の入力データ量も増加の一途をたどっている。
【発明の概要】
【発明が解決しようとする課題】
【０００４】
しかしながら、商品マスタに設定される商品情報は、操作者が商品１品１品ごとに手入力で設定するため、人為的ミスにより商品情報が誤入力される場合もある。例えば、通常価格を大幅に下回る売価を誤入力してしまったり、商品表示において商品入り数を誤入力してセット販売数を著しく多量に設定してしまったりする等の登録ミスが増加している。このような登録ミスが生じた場合、販売企業が多大な利益損失を被るという問題がある。また、登録ミスにより、販売企業に対する信頼性が損なわれる恐れがある。
【０００５】
本発明は、上記に鑑みてなされたものであって、オンラインショッピングサイトに掲示する商品価格の設定ミスを防止する情報入力装置およびプログラムを提供することを目的とする。
【課題を解決するための手段】
【０００６】
上述した課題を解決し、目的を達成するために、本発明の情報入力装置は、商品の販売価格と、前記販売価格として設定できる価格範囲とを、前記商品の識別情報に対応付けて記憶する記憶手段と、前記商品の販売価格の入力を受付ける受付画面を表示器に表示する表示制御手段と、前記受付画面から前記商品の販売価格の入力を受付ける価格入力受付手段と、前記受付画面において入力された前記商品の販売価格が、前記価格範囲内であるか否か判定する判定手段と、前記判定手段が前記販売価格は前記価格範囲外であると判定した場合には、前記販売価格が前記価格範囲外である旨を報知する報知手段と、を備えたことを特徴とする。
【０００７】
また、本発明のプログラムは、商品の販売価格と、前記販売価格として設定できる価格範囲とを、前記商品の識別情報に対応付けて記憶する記憶手段を備えた情報入力装置において、コンピュータを、前記商品の販売価格の入力を受付ける受付画面を表示器に表示する表示制御手段と、前記受付画面から前記商品の販売価格の入力を受付ける価格入力受付手段と、前記受付画面において入力された前記商品の販売価格が、前記価格範囲内であるか否か判定する判定手段と、前記判定手段が前記販売価格は前記価格範囲外であると判定した場合には、前記販売価格が前記価格範囲外である旨を報知する報知手段と、して機能させることを特徴とする。
【発明の効果】
【０００８】
本発明によれば、商品の販売価格を所定の価格範囲と比較し、価格範囲外である場合には操作者に報知するので、操作者は販売価格の誤入力に気付いて修正することが可能となり、オンラインショッピングサイトに掲示する商品価格の設定ミスを防止できるという効果を奏する。
【図面の簡単な説明】
【０００９】
【図１】図１は、第１の実施の形態にかかるオンラインショッピングシステムの構成を示す概要図である。
【図２】図２は、販売管理サーバのハードウェア構成を示すブロック図である。
【図３】図３は、商品テーブルの一例を示す概略図である。
【図４】図４は、販売管理サーバの機能的構成を示す機能ブロック図である。
【図５】図５は、商品情報一覧画面の一例を示す図である。
【図６】図６は、商品情報編集画面の一例を示す図である。
【図７】図７は、エラー表示画面の一例を示す図である。
【図８】図８は、販売管理サーバが行う商品情報編集処理の手順を示すフローチャートである。
【図９】図９は、アラート表示画面の一例を示す図である。
【図１０】図１０は、第２の実施の形態にかかる販売管理サーバのハードウェア構成を示すブロック図である。
【図１１】図１１は、商品テーブルの一例を示す概略図である。
【図１２】図１２は、販売管理サーバの機能的構成を示す機能ブロック図である。
【図１３】図１３は、商品情報編集画面の一例を示す図である。
【図１４】図１４は、販売管理サーバが行う商品情報編集処理の手順を示すフローチャートである。
【発明を実施するための形態】
【００１０】
以下に添付図面を参照して、この発明にかかる情報入力装置およびプログラムの最良な実施の形態を詳細に説明する。本実施の形態では、オンラインショッピングサイトのWebページを作成する販売企業の販売管理サーバに、本発明の情報入力装置を適用する場合について説明する。
【００１１】
（第１の実施の形態）
図１は、本発明の第１の実施の形態にかかるオンラインショッピングシステム１の構成を示す概要図である。図１に示すように、オンラインショッピングシステム１では、販売企業の販売管理サーバ２と、顧客端末３（３ａ、３ｂ、…３ｎ）とが、インターネットなどのネットワーク４を介して接続される。
【００１２】
顧客端末３は、オンラインショッピングサービスを利用する利用者が操作するＰＣや携帯電話、携帯型電子端末などである。顧客端末３では、WebブラウザにおいてオンラインショッピングサイトのURLを指定し、販売管理サーバ２にHTTPリクエストを送信する。
【００１３】
販売管理サーバ２は、オンラインショッピングシステム１およびオンラインショッピングサイトを管理するサーバである。販売管理サーバ２は、顧客端末３のWebブラウザの要求に応じて、Webページを構成するデータをHTTPレスポンスとして顧客端末３に返信する。
【００１４】
これにより顧客端末３の表示画面には販売企業のショッピングサイト画面(Webページ画面)が表示される。このようにして利用者は、販売管理サーバ２が提供するオンラインショッピングサイトにアクセスすることができる。また、顧客端末３は、ショッピングサイトにおいて客が入力した商品購入に関する情報を販売管理サーバ２に送信する。そして、販売管理サーバ２は、顧客端末３から送信された情報に基づいて商品の受注処理を行う。
【００１５】
次に、販売管理サーバ２の構成について説明する。図２は、販売管理サーバ２のハードウェア構成を示すブロック図である。
【００１６】
図２に示すように、販売管理サーバ２は、ＣＰＵ（Central  Processing  Unit）１０と、ＲＯＭ（Read  Only  Memory）２１と、ＲＡＭ（Random  Access  Memory）２２と、通信Ｉ／Ｆ２３と、液晶ディスプレイ４０等の表示器と、キーボード２５やマウス２６などの入力装置と、記憶装置としてのＨＤＤ（Hard  Disk  Drive）３０とを備えており、通常のコンピュータを利用したハードウェア構成となっている。また、各部はバス２７で接続されている。
【００１７】
ＲＯＭ２１は、本実施の形態にかかるプログラムやその他各種プログラムおよび各種設定データ等を記憶する。ＲＡＭ２２は、ＣＰＵ１０が各種プログラムを実行する際に一時的に当該プログラムやデータを記憶する。ＣＰＵ１０は、ＲＯＭ２１が記憶するプログラムをＲＡＭ２２に展開して実行することにより、本実施の形態にかかるプログラムを実行する制御手段として機能する。
【００１８】
通信Ｉ／Ｆ２３は、ＬＡＮやインターネット４等を介して接続された他の情報処理装置やデータサーバ、顧客端末４等とのデータ通信を制御する。
【００１９】
液晶ディスプレイ４０は、ＣＰＵ１０の制御により各種画面を表示する。例えば、液晶ディスプレイ４０は、オンラインショッピングサイトで販売する商品の商品情報一覧画面４１（図５参照）や、商品情報や商品の販売価格などを編集する商品情報編集画面４２（図６参照）等を表示する。
【００２０】
ＨＤＤ３０は、記憶手段として機能するものであり、商品テーブル３１と、パスコード記憶エリア３２とを備えている。
【００２１】
商品テーブル３１は、オンラインショッピングサイトで販売する商品に関する各種商品情報を格納している。図３は、商品テーブル３１の一例を示す概略図である。図３に示すように、商品テーブル３１は、商品カテゴリや、商品名、商品に関するコメント、商品の通常価格、商品の値下げの限界価格を設定する最低価格、商品の販売価格、オンラインショッピングサイトにアップロードする商品画像の画像ファイル名等の各種商品情報を、各商品の商品コードに対応付けて記憶している。ここで、最低価格は、商品の販売価格として設定可能な価格範囲として、予め商品テーブル３１に設定される値である。尚、価格範囲として販売価格の上限を設定する最高価格を格納しても良いし、最低価格および最高価格の両方を格納するとしてもよい。
【００２２】
一例として、商品コードが000001の商品について具体的に説明する。当該商品は、商品名が「お茶５００ｍｌ」であり、商品のカテゴリは「ドリンク」として設定されている。当該商品のオンラインショッピングサイトにおける通常価格は１４０円と設定され、セール販売等が無い場合にはこの通常価格が販売価格として設定される。セール販売時などに販売価格を変更する場合には、商品テーブル３１の通常価格を修正せずに、販売価格に変更後の価格を設定する。これにより、商品の販売価格をセール期間終了後に通常価格にスムーズに戻すことができる。また、図３に示すように、商品コード000001の商品の最低価格は８０円として設定されている。
【００２３】
パスコード記憶エリア３２は、入力した販売価格が最低価格を下回った場合にエラー警告を解除するためのパスコードを記憶している。
【００２４】
次に、販売管理サーバ２の機能的構成について説明する。図４は、販売管理サーバ２の機能的構成を示す機能ブロック図である。販売管理サーバ２は、ＣＰＵ１０がＲＯＭ２１から本実施の形態にかかるプログラムを読み出して実行することにより、主記憶装置上に制御部１１をロードして生成する。制御部１１は、図４に示すように、表示制御部１２と、入力受付部１３と、価格判定部１４と、情報登録部１５と、エラー表示部１６と、パスコード入力受付部１７とを主に備えている。
【００２５】
表示制御部１２は、表示制御手段として機能し、各種表示画面を液晶ディスプレイ４０に表示する。表示制御部１２は、商品テーブル３１に格納された商品情報に基づいて、上述した商品情報一覧画面４１（図５参照）や、商品の販売価格の入力を受付ける商品情報編集画面４２（図６参照）を液晶ディスプレイ４０に表示する。
【００２６】
次に、商品情報一覧画面４１および商品情報編集画面４２について図５および図６を用いて説明する。
【００２７】
図５は、液晶ディスプレイ４０に表示された商品情報一覧画面４１の一例を示す図である。図５に示すように、商品情報一覧画面４１では、商品テーブル３１に格納された商品名や商品についてのコメント、商品の通常価格および販売価格等が、各商品の商品コードに対応付けて表示される。また、表示制御部１２が、商品テーブル３１に格納された画像ファイル名を参照して画像ファイルを表示することにより、商品の画像が各商品の商品コードに対応付けて表示される。さらに、商品情報一覧画面４１は、商品情報一覧に示された各商品に対して、商品情報の編集作業を開始するための「編集」ボタンを設けている。尚、商品情報一覧画面４１には、図５に示すように各商品に対してチェックボックスを設けて、チェックした商品に対する一括編集を開始するためのボタンとして「まとめて編集」なるボタンを設けてもよい。
【００２８】
図５に示す商品情報一覧画面４１において操作者が「編集」ボタンをマウスでクリックすると、表示制御部１２はクリック入力を受付ける。そして、表示制御部１２は、クリックされた商品に対する商品情報編集画面４２を、図６に示すように液晶ディスプレイ４０に表示する。
【００２９】
図６は、商品情報編集画面４２の一例を示す図である。図６に示すように、商品情報編集画面４２には、選択された商品の商品名や商品に関するコメント、通常価格、販売価格が表示される。また、商品情報編集画面４２には、操作者が販売価格を編集する際の参考となるよう最低価格が表示される。そして、商品情報編集画面４２は、商品名やコメント、販売価格など変更可能な事項については、図６に示すように、テキスト入力を受付ける枠を設けている。また、商品情報編集画面４２は、受付けた入力を確定するための「確定」ボタンを設けている。
【００３０】
入力受付部１３は、入力受付手段として機能する。入力受付部１３は、商品情報編集画面４２から入力された販売価格や、商品名、商品に関するコメント等の入力を受付ける。操作者は、キーボード２５やマウス２６を操作して商品情報編集画面４２から変更したい商品情報を入力し、「確定」ボタンをクリックして入力を確定することで、商品情報の編集を行う。
【００３１】
価格判定部１４は、判定手段として機能するものであり、商品情報編集画面４２において入力受付部１３が受付けた販売価格が価格範囲内であるか否か、すなわち最低価格以上か否か判定する。
【００３２】
エラー表示部１６は、報知手段として機能する。エラー表示部１６は、価格判定部１４が、商品情報編集画面４２において入力された商品の販売価格は価格範囲外である、すなわち最低価格より低い価格であると判定した場合には、液晶ディスプレイ４０に図７に示すエラー表示画面４３をポップアップ表示する。これにより、エラー表示部１６は、入力した商品の販売価格が設定価格の範囲外である旨を操作者に報知する。
【００３３】
図７は、液晶ディスプレイ４０にポップアップ表示されたエラー表示画面４３の一例を示す図である。図７に示すように、エラー表示画面４３には、「入力した販売価格が最低価格を下回っています。８０円以上の販売価格を再入力して下さい。」などの警告メッセージが表示される。操作者は、警告メッセージを確認後「再入力」ボタンをクリックして図６に示す商品情報編集画面４２に戻り、販売価格を再入力する。
【００３４】
また、エラー表示画面４３には、「最低価格制限を解除する場合には、パスコードを入力して下さい。」というメッセージが表示される。操作者は、エラー表示画面４３の右下部に設けられた入力欄にパスコードを入力して、「ＯＫ」ボタンをクリックする。これにより、操作者は、エラー表示画面４３を閉じてエラー警告を解除し、最低価格を下回る販売価格を設定することが可能となる。
【００３５】
パスコード入力受付部１７は、エラー表示画面４３において操作者がキーボード等を用いて入力したパスコードを受付ける。パスコード入力受付部１７は、受付けたパスコードとパスコード記憶エリア３２に格納されたパスコードとの認証を行う。
【００３６】
情報登録部１５は、情報登録手段として機能する。価格判定部１４が、商品情報編集画面４２において入力された商品の販売価格は価格範囲内である、すなわち最低価格以上であると判定した場合には、情報登録部１５は、入力された販売価格を当該商品の商品コードに対する販売価格として商品テーブル３１に格納する。
【００３７】
また、情報登録部２１５は、価格判定部１４により販売価格が最低価格を下回ると判定された場合であっても、パスコード入力受付部１７によってパスコードが認証された場合には、商品情報編集画面４２において入力された販売価格を商品テーブル３１に格納し、販売価格の更新を行う。
【００３８】
次に、販売管理サーバ２が行う商品情報編集処理の手順について説明する。図８は、販売管理サーバ２が行う商品情報編集処理の手順を示すフローチャートである。
【００３９】
まず、表示制御部１２は、商品情報一覧画面４１（図５参照）を液晶ディスプレイ４０に表示する（ステップＳ１）。表示制御部１２は、「編集」ボタンがクリックされたか否か判定する（ステップＳ２）。「編集」ボタンがクリックされない場合（ステップＳ２：Ｎｏ）はクリックされるまで入力を待つ（ステップＳ２）。「編集」ボタンがクリックされた場合（ステップＳ２：Ｙｅｓ）に表示制御部１２は、図６に示す商品情報編集画面４２を表示する（ステップＳ３）。
【００４０】
入力受付部１３は、商品情報編集画面４２において「確定」ボタンがクリックされたか否か判定する（ステップＳ４）。「確定」ボタンがクリックされない場合（ステップＳ４：Ｎｏ）はクリックされるまで入力を待つ（ステップＳ４）。「確定」ボタンがクリックされた場合（ステップＳ４：Ｙｅｓ）に情報登録部１５は、販売価格に変更があったか否か判定する（ステップＳ５）。販売価格に変更があった場合（ステップＳ５：Ｙｅｓ）に価格判定部１４は、入力された販売価格が最低価格以上であるか否か、商品テーブル３１を参照して判定する（ステップＳ６）。一方、販売価格に変更がない場合（ステップＳ５：Ｎｏ）には、ステップＳ７に移行する。
【００４１】
ステップＳ６において、価格判定部１４が、販売価格は最低価格以上であると判定した場合（ステップＳ６：Ｙｅｓ）にはステップＳ７に移行する。ステップＳ７において、情報登録部１５は、商品情報編集画面４２において入力された販売価格およびその他入力された商品情報を商品テーブル３１に格納して処理を終了する。
【００４２】
一方、ステップＳ６において、価格判定部１４が最低価格より低い販売価格が入力されたと判定した場合（ステップＳ６：Ｎｏ）に、エラー表示部１６はエラー表示画面４３（図７参照）をポップアップ表示する（ステップＳ８）。そして、エラー表示部１６は、操作者により「再入力」ボタンがクリックされたか否か判定する（ステップＳ９）。「再入力」ボタンがクリックされた場合にはステップＳ３に移行して、ステップＳ３以降の処理を上述したように行う。
【００４３】
一方、「再入力」ボタンがクリックされていない場合（ステップＳ９：Ｎｏ）、パスコード入力受付部１７は、「ＯＫ」ボタンがクリックされたか否か判定する（ステップＳ１０）。「ＯＫ」ボタンがクリックされない場合（ステップＳ１０：Ｎｏ）は、クリックされるまで入力を待つ（ステップＳ１０）。「ＯＫ」ボタンがクリックされた場合（ステップＳ１０：Ｙｅｓ）には、パスコード入力受付部１７は、パスコードが認証されたか否か判定する（ステップＳ１１）。パスコードが認証された場合（ステップＳ１１：Ｙｅｓ）、情報登録部１５は、入力された販売価格を商品テーブル４１に格納する（ステップＳ７）。パスコードが認証されなかった場合（ステップＳ１１：Ｎｏ）、パスコード入力受付部１１は「パスコードが認証できませんでした。」等のエラーメッセージをポップアップ表示（ステップＳ１２）した後、ステップＳ８に戻ってステップＳ８移行の処理を続ける。
【００４４】
上述のように、本実施の形態にかかる販売管理サーバ２は、商品情報編集画面４２において入力された商品の販売価格が、商品テーブル３１に格納された当該商品の最低価格より低い販売価格であると価格判定部１４が判定した場合には、エラー表示部１６によりエラー表示画面４３を表示する。これにより、操作者は販売価格を誤って入力したことに気付くことができ、販売価格の設定ミスを防止できる。
【００４５】
また、上述のように、本実施の形態にかかる販売管理サーバ２は、販売価格が所定の価格範囲外であった場合にも、パスコードを入力すれば販売価格を更新することが可能となる。従って、在庫処分セールなどの特別セール時に、価格設定範囲外の販売価格をつけることができる。
【００４６】
また、エラー表示部１６は図７に示すように、エラー表示画面４３において「８０円以上の販売価格を再入力して下さい。」等と最低価格を明示するので、操作者は販売価格の修正をよりスムーズに行うことが可能となる。
【００４７】
尚、上述では、商品情報編集画面４２において入力された販売価格が、商品テーブル３１に格納された当該商品の最低価格より低い販売価格であると判定された場合に、エラー表示画面４３をポップアップ表示するとしたが、その他の場合に警告を表示してもよい。例えば、入力された販売価格は商品テーブル３１に格納された通常価格より低いか否か、価格判定部１４が判定する。そして、通常価格より低い価格が入力された場合には、エラー表示部１６が、図９に示すようなアラート表示画面４４を液晶ディスプレイ４０に表示するとしてもよい。これにより、操作者は商品を値引することを逐一確認することとなり、値引処理を慎重に行うことができる。
【００４８】
また、商品テーブル３１に価格範囲を設定する場合には、各商品に対する価格範囲を逐一入力して設定してもよいし、複数の商品に対して、通常価格に対する所定の割合を割引または割増した価格を一括して設定してもよい。後者の一例としては、各商品の通常価格の半額を最低価格として一括設定すること等が挙げられる。このようにすることで、商品テーブル３１に各商品の価格範囲を設定する場合に、商品ごとに手入力せずに複数商品の価格範囲を一括入力することが可能となるため、価格範囲設定作業が省力化できるという利点がある。
【００４９】
（第２の実施の形態）
次に、本発明の第２の実施の形態について説明する。本実施の形態では、同一商品を複数個まとめてセット販売する場合にも、商品１個あたりの単価を算出して、算出した単価が価格範囲内であるか否かを判定するものである。
【００５０】
図１０は、第２の実施の形態にかかる販売管理サーバ２０２のハードウェア構成を示すブロック図である。第１の実施の形態と同様の構成については同じ符号を付してここでの説明を省略する。図１０に示すように、販売管理サーバ２０２のＨＤＤ３０は、第１の実施の形態とは異なる商品テーブル２３１を格納している。
【００５１】
図１１は、商品テーブル２３１の一例を示す概略図である。図１１に示すように、商品テーブル２３１は、第１の実施の形態の商品テーブル３１に加え、さらに、商品をセット販売する場合のセット数（商品数）を記憶している。また、商品テーブル２３１は、商品の価格範囲として、商品１個あたりの価格範囲を記憶している。
【００５２】
図１１に示すように、例えば、商品コード000003の「お茶５００ｍｌ×２４本（セット販売）なる商品については、１セットあたり２４本のペットボトルが入っているので、セット数は２４と設定されている。また、商品１個あたりの価格範囲としては、５００ｍｌペットボトル１本当たりの最低価格である８０円が設定されている。
【００５３】
このように商品１個あたりの価格範囲を設定することの利点として、商品１個あたりの価格範囲を比較しやすいので、単品販売と、セット販売とで商品１個あたりの価格範囲を同等の値段とすることが容易になることが挙げられる。
【００５４】
また、別の利点としては、商品１個あたりの価格範囲を、単品販売とセット販売とで同一とすることが可能となる。すなわち、図１１において、商品コード000001のお茶５００ｍｌ１本と、商品コード000003のお茶５００ｍｌ×２４本の双方に対して、１本あたりの最低価格を８０円として、１個あたりの単価で比較した場合に同一の最低価格を設定することができる。
【００５５】
具体例としては、商品情報一覧画面４１（図５参照）において、商品のカテゴリで「ドリンク＞お茶＞お茶（５００ｍｌ）」等として商品検索をかけると、検索結果として５００ｍｌペットボトル入りのお茶がメーカーや単品販売、セット販売によらず抽出される。そして、この検索結果の全商品に対して１個あたりの最低価格を８０円と一括設定すれば、類似商品の価格範囲を一律に設定することが可能となり、設定作業を効率良く行うことができる。
【００５６】
図１２は、販売管理サーバ２０２の機能的構成を示す機能ブロック図である。図１２に示すように、販売管理サーバ２０２は制御部２１１を備えている。制御部２１１は、表示制御部２１２と、入力受付部１３と、価格判定部２１４と、情報登録部１５と、エラー表示部１６と、パスコード入力受付部１７とを備えている。
【００５７】
表示制御部２１２は、商品テーブル２３１に格納された商品情報に基づいて、商品情報一覧画面４１（図５参照）や、商品情報編集画面２４２（図１３参照）を液晶ディスプレイ４０に表示する。
【００５８】
図１３は、商品情報編集画面２４２の一例を示す図である。図１３に示すように、商品情報編集画面２４２には、商品を１セットで販売する場合の商品の個数として、セット数が編集できるようになっている。
【００５９】
価格判定部２１４は、商品情報編集画面４２（図６参照）において入力された販売価格と商品のセット数から商品１個当たりの単価を算出し、算出した商品単価が、商品テーブル２３１が記憶する商品１個当たりの価格範囲内であるか否かを判定する。
【００６０】
次に、販売管理サーバ２０２が行う商品情報編集処理の手順について説明する。図１４は、販売管理サーバ２０２が行う商品情報編集処理の手順を示すフローチャートである。尚、図８で示したステップと同じステップには同じ符号を付してここでの説明を省略する。
【００６１】
表示制御部２１２は、商品テーブル２３１に格納された商品情報に基づいて、商品情報編集画面２４２を液晶ディスプレイ４０に表示する（ステップＳ２３）。
【００６２】
図１４のステップＳ５において、販売価格に変更があった場合（ステップＳ５：Ｙｅｓ）にはステップＳ２０に移行する。価格判定部２１４は、入力された販売価格を商品テーブル２３１に記憶されているセット数で割って、商品１個あたりの販売価格を算出する（ステップＳ２０）。また、商品情報編集画面２４２においてセット数の変更があった場合には、価格判定部２１４は、商品の販売価格を入力されたセット数で割って、商品１個あたりの販売価格を算出する（ステップＳ２０）。
【００６３】
次に、価格判定部２１４は、商品テーブル２３１を参照して、ステップＳ２０で算出した１個あたりの販売価格が最低価格以上であるか否か判定する（ステップＳ２６）。１個あたりの販売価格は最低価格以上であると判定した場合（ステップＳ２６：Ｙｅｓ）には、情報登録部１５は、商品情報編集画面２４２において入力された販売価格およびその他の商品情報を商品テーブル２３１に格納する（ステップＳ７）。一方、１個あたりの販売価格が最低価格に満たない場合（ステップＳ２６：Ｎｏ）には、エラー表示部１６がエラー表示画面４３をポップアップ表示する（ステップＳ８）。
【００６４】
上述のように、本実施の形態の販売管理サーバ２０２は、商品テーブル２３１に価格範囲を設定する場合に、類似商品の価格範囲を効率よく設定することが可能となり、価格範囲の設定作業に要する時間を短縮することができるという効果を奏する。
【００６５】
尚、上述では、販売管理サーバ２、２０２のＨＤＤ３０が商品テーブル３１、２３１を格納するとしたが、この形態に限定されるものではない。その他の例として、オンラインショッピングシステム１が、データベースサーバをさらに備えて、データベースサーバの記憶装置が商品テーブル３１、２３１を格納するとしても良い。
【００６６】
尚、上述では、エラー表示部１６は、エラー表示画面４１を液晶ディスプレイ４０に表示させて、商品の販売価格が最低価格以下である旨を報知するとしたが、報知する方法としてはこれに限定されるものではない。その他の例として、報知手段が商品の販売価格が最低価格以下である旨を音声やビープ音によって操作者に報知するとしても良い。
【００６７】
本実施形態の情報入力装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６８】
また、本実施形態の情報入力装置で実行されるプログラムを、インターネット等のネットワークに接続されたコンピュータ上に格納し、ネットワーク経由でダウンロードさせることにより提供するように構成しても良い。また、本実施形態の情報入力装置で実行されるプログラムをインターネット等のネットワーク経由で提供または配布するように構成しても良い。また、本実施形態のプログラムを、ＲＯＭ等に予め組み込んで提供するように構成してもよい。
【００６９】
本実施の形態の情報入力装置で実行されるプログラムは、上述した各部（表示制御部１２、２１２、入力受付部１３、価格判定部１４、２１４、情報登録部１５と、エラー表示部１６、パスコード入力受付部１７）を含むモジュール構成となっており、実際のハードウェアとしてはＣＰＵ（プロセッサ）が上記記憶媒体からプログラムを読み出して実行することにより上記各部が主記憶装置上にロードされ、表示制御部１２、２１２、入力受付部１３、価格判定部１４、２１４、情報登録部１５と、エラー表示部１６、パスコード入力受付部１７が主記憶装置上に生成されるようになっている。
【産業上の利用可能性】
【００７０】
以上のように、本発明にかかる情報入力装置は、オンラインショッピングサイトのWebページを作成するサーバとして有用であり、特に、商品情報を設定する商品テーブルを記憶する販売企業の販売管理サーバに適している。
【符号の説明】
【００７１】
１  オンラインショッピングシステム
２  販売管理サーバ
３  顧客端末
４  インターネット
３１  商品テーブル
４１  商品情報一覧画面
４２  商品情報編集画面（受付画面）
４３  エラー表示画面
４４  アラート表示画面
【先行技術文献】
【特許文献】
【００７２】
【特許文献１】特開２００８−１０２８４１公報
【図１】
2011170462.tif 000003
【図２】
2011170462.tif 000004
【図３】
2011170462.tif 000005
【図４】
2011170462.tif 000006
【図５】
2011170462.tif 000007
【図６】
2011170462.tif 000008
【図７】
2011170462.tif 000009
【図８】
2011170462.tif 000010
【図９】
2011170462.tif 000011
【図１０】
2011170462.tif 000012
【図１１】
2011170462.tif 000013
【図１２】
2011170462.tif 000014
【図１３】
2011170462.tif 000015
【図１４】
2011170462.tif 000016